(57)【要約】【課題】後から床暖房を施工することを容易にする。【解決手段】少なくとも第１下地（８）及び第２下地（１０）の２層構造から成る床下地（７）を用い、この上に仕上材（１１）を施した二重床システムを用いた住居の廊下（１）を構成する部分に予め床暖房用配管溝（２）を設けるとともに、この溝（２）に発熱体（４）を配設し、上記配管溝（２）を第１下地（８）と仕上材（１１）との間に設け、さらに上記配管溝（２）を廊下（１）から各部屋の出入口を通過するようにヘッダー（６）から廊下（１）を縦断するように設置した。【選択図】　　　　図１
2004092040.tif 000002
【特許請求の範囲】
【請求項１】
少なくとも第１下地及び第２下地の２層構造から成る床下地に仕上材を設けた二重床システムを用いた住居の廊下を構成する部分に予め床暖房用配管溝を設けるとともに、この溝に発熱体を配設し、
上記配管溝を第１下地と仕上材との間に設け、
さらに上記配管溝を廊下から各部屋の出入口を通過するようにヘッダーから廊下を縦断するように設置したことを特徴とする床暖房二重床システム。
【請求項２】
上記配管溝の底側に断熱材を設け、この断熱材上に発熱体を載せ、発熱体の上にも断熱材を設けたことを特徴とする請求項１に記載の床暖房用二重床システム。
【請求項３】
上記第１下地と第２下地との間に遮音層又は／及び緩衝層を設けたことを特徴とする請求項１又は２に記載の床暖房用二重床システム。
【請求項４】
上記発熱体は、複数列配設され、発熱体を取り囲む様に断熱材を設けてあることを特徴とする請求項１ないし３のいずれか１項に記載の床暖房用二重床システム。
【請求項５】
上記床下地は、第１下地として所定の大きさを有する支持脚付き床下地パネルを用い、第２下地として捨張材を用いたことを特徴とする請求項１ないし４のいずれか１項に記載の床暖房用二重床システム。
【請求項６】
上記仕上材としてカーペット、フローリング、クッションフロアのいずれかを用いたことを特徴とする請求項１ないし５のいずれか１項に記載の床暖房用二重床システム。
【請求項７】
上記フローリングが置き敷きタイプのものであることを特徴とする請求項６に記載の床暖房用二重床システム。
【請求項８】
前記住居が集合住宅であることを特徴とする請求項１ないし７のいずれか１項に記載の床暖房用二重床システム。
【発明の詳細な説明】
【０００１】
【発明の属する技術分野】
この発明は、床暖房用二重床システムに関する。
【０００２】
【従来の技術】
従来のこの種システムとしては、図９に示すように、仕上材（フローリング）１００の下に温水マットのような床暖房装置１０１が位置し、この床暖房装置１０１の下に捨張材１０２、遮音ボード１０３が位置し、これを支持脚１０４付きの床下地パネル１０５により要所で支持するという構造が知られていた。支持脚１０４はコンクリートスラブ１０６に着地している。温水マットの一例としては、図１０に示すような発泡ポリエチレン製マット内に低密度ポリエチレン製の温水パイプ２０１を組み込んだもの（符号２００で示す）を４枚組合せ、中央にヘッダースペース２０２を形成し、このヘッダースペース２０２内にヘッダー２０３を位置させ、各温水マット２００の温水パイプ２０１をヘッダー２０３の接続口に接合させて熱媒（温水）を分配するように構成したものが知られている。温水パイプ２０１は、ヘッダー２０３からの温水を循環させて再びヘッダー２０３に戻すように配管されている。
【０００３】
【発明が解決しようとする課題】
従来の床暖房システムは、予めどの部屋に設置するか決められていることが多く、上述したような二重床の床暖房システムも、二重床で各部屋を構成する場合にどの部屋に施工するか決まっていた。すべての部屋に二重床を施工し終わった後に、床暖房を設置していない部屋にも後から床暖房を設置しようとすると、すなわちリフォーム時などには、温水パイプを熱源からの大元のヘッダーから新たに配設するなどの大掛りな追加工事や、床下地を含む床の撤去解体、再施工が必要になるなどの不都合があった。
【０００４】
そこで、この発明は、新たな部屋に追加で床暖房を設置する場合でも、比較的簡単な工事で、かつ低コストで追加設置できるようにした床暖房用二重床システムを提供することを目的とするものである。
【０００５】
【課題を解決するための手段】
上述の目的を達成するため、この発明は少なくとも第１下地及び第２下地の２層構造から成る床下地に仕上材を設けた二重床システムを用いた住居の廊下を構成する部分に予め床暖房用配管溝を設けるとともに、この溝に発熱体を配設し、配管溝を第１下地と仕上材との間に設け、さらに配管溝を廊下から各部屋の出入口を通過するようにヘッダーから廊下を縦断するように設置したものである。
【０００６】
【発明の実施の形態】
以下に、この発明の好適な実施例を図面を参照にして説明する。
【０００７】
図１は、集合住宅における一世帯の間取りを示し、この住居の廊下１の内側には配管溝２を事前に設けてある。そして、各部屋Ｒ１〜Ｒ４のうち部屋Ｒ１とＲ２だけに予め床暖房を施工してあった場合、後から部屋Ｒ３にも床暖房を施工したいとき、部屋Ｒ３に後施工された発熱体４０（後述する）と配管溝２内に配設された発熱体４（温水パイプ、後述する）のうちこの部屋Ｒ３の出入口にその先端を向けた発熱体４とを接続するが、そのための配管経路３も後から施工する。図１中の「ＭＢ」内には、熱源５とヘッダー６とが格納され、ヘッダー６を介して複数本の発熱体４である温水パイプを配管溝２内に配設してある。
【０００８】
図２は、廊下１の横断面を示し、床下地７は、床下地パネルから成る第１下地８上に遮音層９（あるいは緩衝層であってもよいし、両方をともに用いてもよい）を設け、この遮音層９の上に拾張材（例えば合板）から成る第２下地１０を設けて構成してあり、この拾張材１０の上に仕上材１１を設けてある。また、第１下地８には支持脚１２を取付けてあり、この支持脚１２のクションゴム１３がコンクリートスラブ等の床基盤１４に着地している。
【０００９】
前記第１下地８としては、木質系の床下地パネルが使用に好適であり、支持脚１２としては高さ調節可能なものが好ましい。また、遮音層９としては、無機充填材を配合したプラスチック系やゴム系ないしはオレフィン系の粘弾性体、あるいはアスファルトを混入したプラスッチク系やゴム系の粘弾性体、酸化鉄粉（高炉スラグなど）をアスファルトでバインドした重量遮音材が好適に使用できる。さらにまた捨張材（第２下地）１０としては、ベニヤ、パーチクルボード、木質繊維板が好適に用いられる。
【００１０】
図２に示す実施例では、廊下１の幅方向中央個所の第１下地８と仕上材１１との間に配管溝２を形成してある。すなわち、この配管溝２は、遮音層９と第２下地１０とを除去したスペースに形成される。そして、この配管溝２の底側に断熱材１５を敷き、この断熱材１５上に発熱体４、この例では温水パイプを２列配置し、これらパイプ上にも断熱材１５を設けてある。断熱材１５としては、ポリスチレンフォーム等が使用できる。この配管溝２の幅は５０ｍｍとし、温水パイプからなる発熱体４の外径は７ｍｍ、断熱材１５の厚さは４ｍｍとした。図２の矢印Ａで示す個所、すなわち発熱体４の埋設部分の詳細は、図３に示すとおりである。
【００１１】
図４及び図５は、図２の矢印Ａで示す個所の他の例を示す図であり、１本づつ発熱体４を断熱材１５で囲った例を示す。このように発熱体４の全周にわたって断熱材１５を設けたものでは、当然に断熱効果が高くなる。
【００１２】
図６は、配管溝２を２ヶ所形成した例を示すものであり、発熱体４を囲む断熱材１５は、図３に示す構成と同一であるが、図４に示す構成とすることもできる。
【００１３】
図７は、廊下１と１つの部屋Ｒとの間の構造を示す断面であり、部屋Ｒも少なくとも第１下地８と第２下地１０とから成る床下地７の上に仕上材１０を設けた床構造となっている。廊下１と部屋Ｒとは、間仕切り２０により仕切られている。そして、部屋Ｒでも遮音層９を設けてあり、捨張材（第２下地）１０を厚くし、支持脚１２の高さを低くしてある。
【００１４】
図８は、部屋Ｒへ後付けで床暖房を施工した場合の断面を示す。発熱体４（温水パイプ）の先端をこの部屋Ｒの出入口に予め配設しておき、この発熱体（図８では符号４１を付して他の発熱体４と区別する）４１の下には断熱材１５Ａを敷いておき、この発熱体４１の先端に設けた小ヘッダー（図示せず）に部屋Ｒの発熱体４０を連結する。なお、この廊下１側から延びる発熱体４は、１本の温水パイプではなく、供給用と戻り用の２本１組のものから成る。そして、部屋Ｒの発熱体４０もその一端は小ヘッダーの供給用に連結され、部屋Ｒの床下を循環した後にその他端は小ヘッダーの戻り用に連結される。
【００１５】
上記仕上材１１としては、カーペット、フローリング、クッションフレームのいずれでも使用することができる。仕上材１１としてフローリングを用いた場合、置き敷きタイプのものが好ましい。置き敷きタイプのフローリングとは、半
永久的に固着してしまわず、張り替え可能なものであり、所定の大きさの単位部材の側面同士で凹凸結合されているが、下地に釘、接着などで固着されていないもの、また側面同士は凹凸結合がなく、下部のマジックファスナー（登録商標）で各々が結合されるものなどである。このような張替え可能なフローリングであれば、このフローリングを剥がし、第２下地１０を取り除いて発熱体４０、例えば図１０に示すような温水マットを組み込み、その上に再び剥がしたフローリングを施工することもできる。
【００１６】
なお、二重床としては、必ずしも支持脚１２を有するものではなく、硬質な支持板の上下に緩衝層を形成したものを床基盤１４に直接貼り付け、上方の緩衝層の上に仕上材を設けた床構造とか、第１下地８を複数本の弾性体で直接支持し、この第１下地８上に拾張材、その上に仕上材を設けた床構造にもこの発明は適用できる。
【００１７】
【発明の効果】
以上説明したように、この発明によれば、少なくとも第１下地及び第２下地の２層構造から成る床下地を用い、この上に仕上材を施した二重床システムを用いた住居の廊下を構成する部分に予め床暖房用配管溝を設けるとともに、この溝に発熱体を配設し、上記配管溝を第１下地と仕上材との間に設け、さらに、上記配管溝を廊下から各部屋の出入口を通過するようにヘッダーから廊下を縦断するように設置したので、新たな部屋に追加で床暖房を敷設するには、新たな部屋に発熱体を埋設し、この発熱体と廊下側の発熱体とを連結すればよいので、比較的簡単な工事ですみ、新築時のオプション変更あるいはリフォーム等で居住者の費用負担が軽減できる。また、工事期間の短縮を図れ、工事廃材も少なく大幅なコストダウンを実現できる。
【００１８】
また、仕上材を剥して、第１下地の上の第２下地を除去し、その空いたスペースに配管溝を形成することができるので、床下地の再施工は不要となる。また、仕上材として置敷きタイプのフローリングを用いた場合、床暖房施工後にこの仕上材の再利用が可能となる。
【図面の簡単な説明】
【図１】全体の間取りを示す平面図。
【図２】廊下の断面図。
【図３】図２の矢印Ａで示す個所の拡大図。
【図４】図３と同様の個所の断面であり他の例を示す図。
【図５】図３と同様の個所の断面でありさらに別の例を示す図。
【図６】他の例を示す廊下の断面図。
【図７】廊下と部屋との床構造を示す断面図。
【図８】廊下の発熱体を部屋に引き込んだ状態の断面図。
【図９】従来例を示す断面図。
【図１０】床暖房の従来例を示す平面略図。
【符号の説明】
１　廊下
２　配管溝
３　配管経路
４　発熱体
５　熱源
６　ヘッダー
７　床下地
８　第１下地
１０　第２下地
１１　仕上材
【図１】
2004092040.tif 000003
【図２】
2004092040.tif 000004
【図３】
2004092040.tif 000005
【図４】
2004092040.tif 000006
【図５】
2004092040.tif 000007
【図６】
2004092040.tif 000008
【図７】
2004092040.tif 000009
【図８】
2004092040.tif 000010
【図９】
2004092040.tif 000011
【図１０】
2004092040.tif 000012